(57)【要約】【課題】サポーターのずれを最小限にすべく、比較的大きなサイズから小さなサイズまで複数サイズのものを用意すると共に、サポーターの両側縦方向に設けられるバネ製部材は、その端部を曲状とすることによって着用者にとって安全で、ずれのない縦列ボーンを設けたひざ用サポーターを提供する。【解決手段】膝の上下を含む形状に応じた形状の筒状ひざ用サポーターにおいて、該ひざ用サポーター本体は表側には遠赤外線を放射する素材とし、且つ裏側に保温製と透湿性に優れた素材とからなるパイル編みとすると共に、前記ひざ用サポーター本体の両側裏面に上方及び下方に曲状に形成してなる縦列筒帯袋部を縦列に縫着し、この縦列筒帯袋部の内部に先端部を曲状とした弾性棒状体を挿通してある。【選択図】図１
0003147279.tif 000002
【実用新案登録請求の範囲】
【請求項１】
膝の上下を含む形状に応じた形状の筒状ひざ用サポーターにおいて、該ひざ用サポーター本体は表側には遠赤外線を放射する素材とし、且つ裏側に保温製と透湿性に優れた素材とからなるパイル編みとすると共に、前記ひざ用サポーター本体の両側裏面に上方及び下方に曲状に形成してなる縦列筒帯袋部を縦列に縫着し、この縦列筒帯袋部の内部に先端部を曲状とした弾性棒状体を挿通してなることを特徴とする縦列ボーンを設けた脚用サポーター。
【請求項２】
弾性弾性棒状体は、コイルボーンである請求項１記載の脚用サポーター。
【請求項３】
ひざ用サポーター本体のひざ部分の裏側の所定領域を薄編みしてなる請求項１記載の縦列ボーンを設けたひざ用サポーター。
【考案の詳細な説明】
【技術分野】
【０００１】円筒状のひざ用サポーターにおいて、暖かく脚を包み込むと共に長時間着用しても、ずれにくいひざ用サポーターに関する。
【従来技術】
【０００２】従来の円筒状のひざ用サポーターは、そのほとんどは、男女兼用であって、脚の細い、太いとは無関係のフリーサイズが一般的であった。そのために、大きく編んで縮めるという編み方であったので、着用時ずれ落ち易かった。ずれ落ちを防止するためにサポーターの両側に直状の金属性パネ材からなる左右一対の弾性部材を取り付けることが行われ、更にこのサポーターの両側部に袋部を介してサポーター生地を縫着している。（例えば、特許文献１）
【０００３】
【特許文献１】特開平９−１５４８７４
【考案の開示】
【考案の解決しようとする課題】
【０００４】特許文献１には、サポーター本体のひざに対応する部分に通気を抑制する素材を粘着した乾燥防止ひざ用サポーターが記載され、このサポーターの両側長手方向に、例えば金属製バネ材を縦列直状に設けることが記載されている。このような金属製バネ材をサポーターの両側長手方向に直状に設けた場合、その金属製バネ材を設けた場合、更にサポーターの構造上、このサポーターの両側部に袋部を介してサポーター生地を縫着しているため、この袋部は、サポーター本体の引っ張りを両方向より絶えず受けるため、この縫着部、即ち、袋部からサポーター全体が損傷することが多く、又、長期の使用期間中に金属製バネ材の端部はその端部方向に布地と衝突するために、ひざ用サポーター生地を突き破って、金属製バネ材を設けた意味を失うと同時にサポーターを着用する人のひざに損傷を与える虞もある。
【０００５】従って、本考案の目的とするところは、サポーターの耐久性を良くすると共に、サポーターのずれを最小限にすべく、比較的大きなサイズから小さなサイズまで複数サイズのものを用意すると共に、サポーターの両側縦方向に設けられるバネ製部材は、サポーターの裏側に縫着された縦列筒帯袋部に縦列ボーンを挿通することによって着用者にとって安全で、ずれのない縦列ボーンを設けたひざ用サポーターを提供するものである。
【課題を解決するための手段】
【０００６】本考案は、上記の問題点に鑑み、着用者にとって安全で、ずれのない縦列ボーンを設けたひざ用サポーターを提供するべく、膝の上下を含む形状に応じた形状の筒状ひざ用サポーターにおいて、該ひざ用サポーター本体は表側には遠赤外線を放射する素材とし、且つ裏側に保温製と透湿性に優れた素材とからなるパイル編みとすると共に、前記ひざ用サポーター本体の両側裏面に上方及び下方に曲状に形成してなる縦列筒帯袋部を縦列に縫着し、この縦列筒帯袋部の内部に先端部を曲状とした弾性棒状体を挿通してある。
【０００７】安全に使用するために、弾性弾性棒状体は、コイルボーンとしてある。
ーター。
【０００８】膝の屈伸をスムーズにするために、ひざ用サポーター本体のひざ部分の裏側の所定領域をを薄編みしてある。
【考案の効果】
【０００９】この考案は、膝の上下を含む形状に応じた形状の筒状ひざ用サポーターにおいて、該ひざ用サポーター本体は表側には遠赤外線を放射する素材でとし、且つ裏側に保温製と透湿性に優れた素材とからなるパイル編みとすると共に、前記ひざ用サポーター本体の裏側はひざの両側部に縦列筒帯袋部を縦列に縫着し、この縦列筒帯袋部に縦列ボーンを挿通してなることによってサポーターのずれを防ぐと共に、弾性棒状体の先端部によってサポーターを損傷することのないようにすると共に、これを着用する者もひざの屈伸を容易にすると同時、に安心して着用することの出来る縦列ボーンを設けたひざ用サポーターとしたことである。
【考案を実施するための最良の形態】
【００１０】この考案の縦列ボーンを設けたひざ用サポーター本体は、膝の上下を含む形状に応じた形状の筒状ひざ用サポーターにおいて、該ひざ用サポーター本体は表側には遠赤外線を放射する素材でとし、且つ裏側に保温製と透湿性に優れた素材とからなるパイル編みとすると共に、前記ひざ用サポーター本体の裏側はひざの両側部に縦列筒帯袋部を縦列に縫着し、この縦列筒帯袋部に縦列ボーンを挿通してなる。
【実施例】
【００１１】この考案は、ひざの上下を含む形状に応じた形状の筒状ひざ用サポーターであって、サポーター本体１は、ひざを衝撃から守り温かい空気を逃さない保温力を保持するよう全体として厚パイル編み２としてあると共に、表側面３には遠赤外線を放射する素材である東レのダイナホット（登録商標）を使用すると共に裏側面４に保温性及び透湿性に優れた三菱レーヨンのパイレン（登録商標）を使用してある。【００１２】ひざの裏側の所定領域薄手のパイル薄編みパイル薄編み５としてあることで、ひざの屈伸時にその運動をスムーズに行えるようにしてあるものである。【００１３】サポーター本体１の裏側面４はひざの両側部に縦列ボーン６を収納するための縦列筒帯袋部７は図１では直状縦列に縫着してある。縦列筒帯袋部７の側縁は側縁縫着部１０にて縫着されている。更に、図３では、この縦列筒帯袋部７の上方部に上方湾曲部８を、及び下方部には下方湾曲部９を形成するによって、縦列筒帯袋部７に収納される縦列ボーン６の上下端部を曲げることにによって縦列筒帯袋部７の端部の損傷をさけることができる。この縦列筒帯袋部７には縦列ボーン６のような弾性体を挿通して、縦列筒帯袋部７内部に縦列ボーン６に封入する。弾性体よりなるボーン６の挿通後は、上方湾曲部８の上部縫着部１１及び下方湾曲部９の下部縫着部１２も本体に縫着される。【００１４】弾性体よりなるボーン６は、３６０度方向に曲げ折り自在であって且つ強力な復元性を有する材料であって、このような材料として、いわゆるコイルボーン、即ち硬鋼線に亜鉛コーティングした二本のコイルを咬合し、この咬合した二本のコイルを偏平に圧接接合した、婦人用下着の体型補整正用に一般的に使用されているいわゆるコイルボーンを使用すること、又は金属的性の材質に抵抗がある場合には復元性に優れた硬質弾性プラスチック板も利用可能である。いずれにせよ、弾性体よりなるボーン６は前後左右に屈曲自在、復元性を有することが絶対不可欠である。【００１５】従って、サポーター本体１を、図３のように着用すると、ひざの裏部はパイル薄編み５としてあるので、サポーター本体１がひざを温かく包み込むと同時に、ひざの屈曲時生じるサポーター本体１の生地の屈曲は、ひざの伸長時には弾性体よりなる縦列ボーン６が復元することによってひざの屈曲時生じるサポーター本体の生地の屈曲も現状に復元するから、サポーター本体１のずれを有効に防止することができる。【００１６】なお、サポーター本体１の上部は、上部締付弾性部１４及びサポーター本体１の下部は、下部締付弾性部１５が設けられ、上部締付弾性部１４の前面部にはこのサポーター本体１の上方部であることを示す文字である「上」の表示部１３を設けてある。
【図面の簡単な説明】
【００１７】
【図１】縦列ボーンを設けたひざ用サポーターの側面図
【図２】図１のＡ−Ａ断面図
【図３】縦列ボーンを設けたひざ用サポーターのの使用状態を示す斜視図
【図４】一部を省略した縦列ボーンの正面図
【図５】ひざの裏部の薄編み部を示した断面図
【符号の説明】
１．．．サポーター本体
２．．．厚パイル編み
３．．．表側面
４．．．裏側面
５．．．薄編み部
６．．．縦列ボーン
７．．．縦列筒帯袋部
８．．．上方湾曲部
９．．．下方湾曲部
１０．．側縁縫着部
１１．．上部縫着部
１２．．下部縫着部
１３．．表示部
１４．．上部締付部
１５．．下部締付部
【図１】
0003147279.tif 000003
【図２】
0003147279.tif 000004
【図３】
0003147279.tif 000005
【図４】
0003147279.tif 000006
【図５】
0003147279.tif 000007